(57)【要約】      （修正有）【課題】積層方向において複数の吸収性物品に加えられている圧縮力を低減することにより、吸収性物品を容易に取り出す。【解決手段】吸収性物品包装体１は、所定の積層方向に積層されるとともに積層方向に圧縮された状態の略シート状の複数の吸収性物品を収容する。吸収性物品包装体１では、前部開口形成部１３２、側部開口形成部１５２および後部開口形成部１４２が脆弱線１００に沿って周囲の部位から切り離されることにより、吸収性物品９の取り出しに利用される開口が形成される。側部開口１５１の下端と第１側面部１５の下端との間の上下方向に関する距離は、第１側面部１５の高さの２５％未満とされる。これにより、積層方向において複数の吸収性物品に加えられている圧縮力が低減され、吸収性物品を容易に取り出すことができる。【選択図】図１．Ｂ
2007045457.tif 000002
【特許請求の範囲】
【請求項１】
所定の積層方向に積層された略シート状の複数の吸収性物品を前記積層方向に圧縮した状態で収容する略直方体の吸収性物品包装体であって、
前記複数の吸収性物品の前記積層方向に略平行であるとともに前記複数の吸収性物品の積層体の上面および下面をそれぞれ覆う上面部および下面部と、
前記上面部と前記下面部とを接続するとともに前記積層方向に略平行であって前記積層体の前面および後面をそれぞれ覆う前面部および後面部と、
前記積層方向に略垂直であって前記積層方向の両側において吸収性物品の主面に当接する第１側面部および第２側面部と、
を備え、
前記第１側面部が、脆弱線に沿って周囲の部位から切り離されることにより吸収性物品の取り出しに利用される側部開口を形成する側部開口形成部を備え、
前記側部開口の下端と前記第１側面部の下端との間の上下方向に関する距離が、前記第１側面部の前記上下方向の高さの２５％未満であることを特徴とする吸収性物品包装体。
【請求項２】
請求項１に記載の吸収性物品包装体であって、
前記側部開口が、前記第１側面部の前記前面部側のエッジから前記後面部側のエッジに亘って設けられることを特徴とする吸収性物品包装体。
【請求項３】
請求項２に記載の吸収性物品包装体であって、
前記前面部が、脆弱線に沿って周囲の部位から切り離されることにより前記側部開口に連通する前部開口を形成する前部開口形成部を備えることを特徴とする吸収性物品包装体。
【請求項４】
請求項３に記載の吸収性物品包装体であって、
前記前部開口形成部が、前記第１側面部側とは反対側において使用者により摘まれることにより前記前部開口の形成開始を補助する補助タブを備えることを特徴とする吸収性物品包装体。
【請求項５】
請求項４に記載の吸収性物品包装体であって、
前記補助タブが、前記前部開口形成部の前記第１側面部側とは反対側のエッジから前記第２側面部側へと突出するとともに脆弱線に沿って周囲の部位から切り離された後に使用者により摘まれることを特徴とする吸収性物品包装体。
【請求項６】
請求項３ないし５のいずれかに記載の吸収性物品包装体であって、
前記後面部が、脆弱線に沿って周囲の部位から切り離されることにより前記側部開口に連通する後部開口を形成する後部開口形成部を備えることを特徴とする吸収性物品包装体。
【請求項７】
請求項１ないし６のいずれかに記載の吸収性物品包装体であって、
前記側部開口の上端が、前記第１側面部の上端よりも下側に位置することを特徴とする吸収性物品包装体。
【請求項８】
請求項１ないし７のいずれかに記載の吸収性物品包装体であって、
前記複数の吸収性物品のそれぞれが、両側の主面の下端側の領域に面ファスナを備えることを特徴とする吸収性物品包装体。
【請求項９】
両側の主面に面ファスナが設けられるとともに前記両側の主面に略垂直な積層方向に積層された略シート状の複数の吸収性物品を前記積層方向に圧縮した状態で収容する略直方体の吸収性物品包装体であって、
前記複数の吸収性物品の前記積層方向に略平行であるとともに前記複数の吸収性物品の積層体の上面および下面をそれぞれ覆う上面部および下面部と、
前記上面部と前記下面部とを接続するとともに前記積層方向に略平行であって前記積層体の前面および後面をそれぞれ覆う前面部および後面部と、
前記積層方向に略垂直であって前記積層方向の両側において吸収性物品の主面に当接する第１側面部および第２側面部と、
を備え、
前記第１側面部が、脆弱線に沿って周囲の部位から切り離されることにより吸収性物品の取り出しに利用される側部開口を形成する側部開口形成部を備えることを特徴とする吸収性物品包装体。
【請求項１０】
請求項９に記載の吸収性物品包装体であって、
前記複数の吸収性物品のそれぞれが、前記両側の主面の下端側の領域に前記面ファスナを備え、前記側部開口の下端が、上下方向に関して前記第１側面部の下端と前記面ファスナとの間に位置することを特徴とする吸収性物品包装体。
【請求項１１】
請求項１ないし１０のいずれかに記載の吸収性物品包装体であって、
前記複数の吸収性物品のそれぞれが、着用者側を内側にして２つ折りにされた状態で収容されることを特徴とする吸収性物品包装体。
【請求項１２】
請求項１１に記載の吸収性物品包装体であって、
前記複数の吸収性物品のそれぞれが、折り目を上側に向けて収容されることを特徴とする吸収性物品包装体。
【請求項１３】
請求項１１または１２に記載の吸収性物品包装体であって、
前記複数の吸収性物品のそれぞれが、着用者に着用される外装物品の着用者側に取り付けられる補助吸収具であることを特徴とする吸収性物品包装体。
【発明の詳細な説明】
【技術分野】
【０００１】
本発明は、複数の吸収性物品を収容する吸収性物品包装体に関する。
【背景技術】
【０００２】
従来より、使い捨ておむつや使い捨ておむつの内側に取り付けられる補助吸収具（例えば、尿取りパッド）等の吸収性物品は、複数個が積層されて積層方向に圧縮された状態で包装袋に収容されて販売されている。このような包装袋では通常、吸収性物品の積層方向に平行な幅が広い方の側面（すなわち、多数の吸収性物品のエッジが並ぶ広い正面となる側面）の中央近傍にミシン目が設けられており、当該ミシン目に沿って包装袋を破ることにより、吸収性物品を取り出すための取出口が形成される。
【０００３】
このような取出口が形成された包装袋から吸収性物品を取り出す際には、複数の吸収性物品の積層体における中央近傍の１つの吸収性物品を、積層方向に略垂直な方向に引っ張り出すこととなる。しかしながら、複数の吸収性物品は積層方向に圧縮されているため、取り出そうとする吸収性物品だけではなく、隣接する吸収性物品も一緒に引っ張り出されてしまい、吸収性物品を１つずつ取り出すことが困難であった。
【０００４】
そこで、このような包装袋について、収容されている吸収性物品を１つずつ容易に取り出すための様々な提案がなされている。例えば、特許文献１の可撓性袋では、可撓性物品の積層方向に垂直な一対の側方パネルの一方において、高さが側方パネルの高さの７５％以下（好ましくは５０％）であって幅が側方パネルの幅の５０％〜９０％の開口を側方パネルの上端から設け、当該開口から可撓性物品が扇形に列ぶように突出させることにより、可撓性物品の取り出しを容易化する技術が開示されている。特許文献２では、積層方向に垂直な側方パネル、および、側方パネルに隣接する頂部パネルに連通する開口を設けることにより、特許文献１と同様に、開口から被包装物を扇状に突出させて取り出しを容易化する技術が開示されている。
【０００５】
また、特許文献３の開封部付圧縮物品用包装袋では、複数の使い捨ておむつの整列方向（積層方向）に垂直な側面ガゼットパネル部を横断し、さらに、前面パネル部を経由して上面パネル部まで連通する開口部を設けることにより、当該開口部を介して使い捨ておむつを容易に取り出すことが可能とされている。
【特許文献１】特許第３００９４０６号公報
【特許文献２】特許第２８８８９１４号公報
【特許文献３】特開平１１−９１８０１号公報
【発明の開示】
【発明が解決しようとする課題】
【０００６】
ところで、特許文献１および特許文献２の包装袋では、側方パネルに開口を設けることにより、可撓性物品に加えられている圧縮力を低減して取り出しの容易化を図っているが、側方パネルにおける開口は十分に大きいとは言い難く、取り出し易さの向上に限界がある。
【０００７】
特許文献３の包装袋も同様に、側面ガゼットパネル部に形成される開口が小さく、圧縮力の低減が不十分となる恐れがある。また、特許文献３の包装袋では、互いに垂直な３つのパネル部に亘って開口部が設けられており、開口部の形成が容易とは言い難い。
【０００８】
一方、尿取りパッド等の補助吸収具では、使い捨ておむつへの取り付けに利用される面ファスナ等の止着部が長手方向の端部に設けられている場合があり、面ファスナが外側に向いた状態で吸収性物品が積層されて包装袋に収容されると、隣接する吸収性物品が互いに結合されてさらに取り出しにくくなってしまうことがある。特に、このような吸収性物品は、面ファスナが設けられる側が下側になるように包装袋に収容されることが多く、特許文献１ないし特許文献３の包装袋では、吸収性物品の下端側の比較的広い範囲において圧縮力が解放されないため、吸収性物品を１つずつ容易に取り出すことができない。
【０００９】
本発明は、上記課題に鑑みなされたものであり、積層方向において複数の吸収性物品に加えられている圧縮力をより低減することにより、吸収性物品をさらに容易に取り出すことを目的としている。
【課題を解決するための手段】
【００１０】
請求項１に記載の発明は、所定の積層方向に積層された略シート状の複数の吸収性物品を前記積層方向に圧縮した状態で収容する略直方体の吸収性物品包装体であって、前記複数の吸収性物品の前記積層方向に略平行であるとともに前記複数の吸収性物品の積層体の上面および下面をそれぞれ覆う上面部および下面部と、前記上面部と前記下面部とを接続するとともに前記積層方向に略平行であって前記積層体の前面および後面をそれぞれ覆う前面部および後面部と、前記積層方向に略垂直であって前記積層方向の両側において吸収性物品の主面に当接する第１側面部および第２側面部とを備え、前記第１側面部が、脆弱線に沿って周囲の部位から切り離されることにより吸収性物品の取り出しに利用される側部開口を形成する側部開口形成部を備え、前記側部開口の下端と前記第１側面部の下端との間の上下方向に関する距離が、前記第１側面部の前記上下方向の高さの２５％未満である。
【００１１】
請求項２に記載の発明は、請求項１に記載の吸収性物品包装体であって、前記側部開口が、前記第１側面部の前記前面部側のエッジから前記後面部側のエッジに亘って設けられる。
【００１２】
請求項３に記載の発明は、請求項２に記載の吸収性物品包装体であって、前記前面部が、脆弱線に沿って周囲の部位から切り離されることにより前記側部開口に連通する前部開口を形成する前部開口形成部を備える。
【００１３】
請求項４に記載の発明は、請求項３に記載の吸収性物品包装体であって、前記前部開口形成部が、前記第１側面部側とは反対側において使用者により摘まれることにより前記前部開口の形成開始を補助する補助タブを備える。
【００１４】
請求項５に記載の発明は、請求項４に記載の吸収性物品包装体であって、前記補助タブが、前記前部開口形成部の前記第１側面部側とは反対側のエッジから前記第２側面部側へと突出するとともに脆弱線に沿って周囲の部位から切り離された後に使用者により摘まれる。
【００１５】
請求項６に記載の発明は、請求項３ないし５のいずれかに記載の吸収性物品包装体であって、前記後面部が、脆弱線に沿って周囲の部位から切り離されることにより前記側部開口に連通する後部開口を形成する後部開口形成部を備える。
【００１６】
請求項７に記載の発明は、請求項１ないし６のいずれかに記載の吸収性物品包装体であって、前記側部開口の上端が、前記第１側面部の上端よりも下側に位置する。
【００１７】
請求項８に記載の発明は、請求項１ないし７のいずれかに記載の吸収性物品包装体であって、前記複数の吸収性物品のそれぞれが、両側の主面の下端側の領域に面ファスナを備える。
【００１８】
請求項９に記載の発明は、両側の主面に面ファスナが設けられるとともに前記両側の主面に略垂直な積層方向に積層された略シート状の複数の吸収性物品を前記積層方向に圧縮した状態で収容する略直方体の吸収性物品包装体であって、前記複数の吸収性物品の前記積層方向に略平行であるとともに前記複数の吸収性物品の積層体の上面および下面をそれぞれ覆う上面部および下面部と、前記上面部と前記下面部とを接続するとともに前記積層方向に略平行であって前記積層体の前面および後面をそれぞれ覆う前面部および後面部と、前記積層方向に略垂直であって前記積層方向の両側において吸収性物品の主面に当接する第１側面部および第２側面部とを備え、前記第１側面部が、脆弱線に沿って周囲の部位から切り離されることにより吸収性物品の取り出しに利用される側部開口を形成する側部開口形成部を備える。
【００１９】
請求項１０に記載の発明は、請求項９に記載の吸収性物品包装体であって、前記複数の吸収性物品のそれぞれが、前記両側の主面の下端側の領域に前記面ファスナを備え、前記側部開口の下端が、上下方向に関して前記第１側面部の下端と前記面ファスナとの間に位置する。
【００２０】
請求項１１に記載の発明は、請求項１ないし１０のいずれかに記載の吸収性物品包装体であって、前記複数の吸収性物品のそれぞれが、着用者側を内側にして２つ折りにされた状態で収容される。
【００２１】
請求項１２に記載の発明は、請求項１１に記載の吸収性物品包装体であって、前記複数の吸収性物品のそれぞれが、折り目を上側に向けて収容される。
【００２２】
請求項１３に記載の発明は、請求項１１または１２に記載の吸収性物品包装体であって、前記複数の吸収性物品のそれぞれが、着用者に着用される外装物品の着用者側に取り付けられる補助吸収具である。
【発明の効果】
【００２３】
本発明では、積層方向において複数の吸収性物品に加えられている圧縮力を低減することにより、吸収性物品を容易に取り出すことができる。請求項４の発明では、前部開口および側部開口を容易に形成することができる。請求項７の発明では、吸収性物品を確実に収容することができる。
【発明を実施するための最良の形態】
【００２４】
図１．Ａ、図１．Ｂおよび図１．Ｃは、本発明の一の実施の形態に係る吸収性物品包装体１を示す斜視図であり、図２は、吸収性物品包装体１に収容される複数の吸収性物品９の積層体（以下、「吸収性物品積層体」という。）９０を示す斜視図である。図１．Ａに示すように、吸収性物品包装体１は略直方体であり、図２に示す所定の積層方向（すなわち、図２中のＸ方向）に積層されるとともに積層方向に圧縮された状態の略シート状の複数の吸収性物品９（すなわち、吸収性物品積層体９０）を収容する。
【００２５】
図３は、吸収性物品９の構成を示す平面図である。吸収性物品９は、着用者に着用される外装物品（例えば、使い捨ておむつ）の着用者側に取り付けられて着用者からの排泄物を受ける尿取りパッド等の補助吸収具である。図３では、着用者に接する面（すなわち、着用者側）を手前側にして吸収性物品９を描いている。
【００２６】
図３に示すように、吸収性物品９は、略シート状の本体部９２、および、本体部９２の長手方向のほぼ全長に亘って本体部９２の幅方向の両側に設けられた一対の側壁部９３を備える。一対の側壁部９３のそれぞれには、長手方向に伸びる２本の弾性部材９３１が接合されており、弾性部材９３１が収縮することにより、本体部９２の側方において側壁部９３が着用者側に向かって立ち上がり、着用時に着用者の足の付け根近傍に当接する立体ギャザー（いわゆる、レッグギャザー）が形成される。
【００２７】
本体部９２は、吸収体である吸収コア９２２、吸収コア９２２の着用者側の主面を覆うトップシート９２１、および、吸収コア９２２のもう一方の主面を覆うバックシート９２３を備え、トップシート９２１およびバックシート９２３は、ホットメルト接着剤等により吸収コア９２２の周囲にて互いに接合される。本体部９２は、長手方向の両側の端部近傍において、着用者側とは反対側の主面上（すなわち、バックシート９２３の外側の主面上）に、幅方向に広がって存在する止着部である面ファスナ９２４を備える。面ファスナ９２４は、微小なフック部材を多数有し、吸収性物品９が使い捨ておむつに取り付けられる際に使い捨ておむつの着用者側と対向し、使い捨ておむつの着用者側の不織布や布地中の繊維群に着脱可能に接合される。
【００２８】
図２に示すように、吸収性物品９は、長手方向における略中央の位置にて着用者側であるトップシート９２１（図３参照）を内側にして２つ折りにされた状態で積層方向に積層され、折り目を上側（すなわち、（＋Ｚ）側）に向けて吸収性物品包装体１（図１．Ａ参照）に収容される。２つ折りにされた状態の各吸収性物品９では、バックシート９２３が（＋Ｘ）側および（−Ｘ）側において外側を向いており、面ファスナ９２４が、バックシート９２３の（＋Ｘ）側および（−Ｘ）側の面（すなわち、２つ折にされた吸収性物品９の両側の主面）の下端側の領域に位置する。
【００２９】
図１．Ａに示すように、吸収性物品包装体１は、複数の吸収性物品９の積層方向（Ｘ方向）に略平行であるとともに吸収性物品積層体９０の上面９０１および下面９０２（図２参照）をそれぞれ覆う上面部１１および下面部１２、上面部１１と下面部１２とを接続するとともに積層方向に略平行であって吸収性物品積層体９０の前面９０３および後面９０４（図２参照）をそれぞれ覆う前面部１３および後面部１４、並びに、積層方向に略垂直であって吸収性物品積層体９０の（＋Ｘ）側の側面９０５および（−Ｘ）側の側面９０６（図２参照）をそれぞれ覆う第１側面部１５および第２側面部１６を備える。第１側面部１５および第２側面部１６は、吸収性物品９の積層方向の両側（すなわち、（＋Ｘ）側および（−Ｘ）側）において吸収性物品積層体９０の両側の吸収性物品９の主面に当接する。
【００３０】
吸収性物品包装体１は、また、上面部１１および下面部１２に接続されるとともに購入者等に把持される把持部１７を備え、把持部１７には、把持する者の指が挿入される開口１７１が形成されている。
【００３１】
図１．Ａに示すように、第１側面部１５の上端近傍には、上端のエッジに沿ってＹ方向に伸びる脆弱線（本実施の形態では、断続的に形成された切れ目）１００が形成されており、前面部１３では、第１側面部１５から連続する脆弱線１００が（−Ｘ）方向へと伸び、前面部１３のＸ方向の中央よりも第１側面部１５側にて（−Ｚ）方向へと伸びている。また、後面部１４においても、第１側面部１５から連続する脆弱線１００が（−Ｘ）方向へと伸び、後面部１４のＸ方向の中央よりも第１側面部１５側にて（−Ｚ）方向へと伸びている（図示省略）。吸収性物品包装体１では、前面部１３、第１側面部１５および後面部１４の一部が脆弱線１００に沿って周囲の部位から切り離されることにより、図１．Ｂに示す吸収性物品９の取り出しに利用される開口（すなわち、取出口）１８が形成される。図１．Ｂでは、図示の都合上、第１側面部１５側の吸収性物品９が２つ取り出された後の状態を描いている。
【００３２】
以下、開口１８のうち、前面部１３、第１側面部１５および後面部１４に形成されるそれぞれの部分を「前部開口１３１」、「側部開口１５１」および「後部開口１４１」と呼ぶ。前部開口１３１および後部開口１４１は、側部開口１５１に連通している。また、図１．Ａおよび図１．Ｂに示すように、前面部１３、第１側面部１５および後面部１４のうち、脆弱線１００に沿って周囲の部位から切り離されることにより前部開口１３１、側部開口１５１および後部開口１４１を形成する部位をそれぞれ、「前部開口形成部１３２」、「側部開口形成部１５２」および「後部開口形成部１４２」と呼ぶ。
【００３３】
図１．Ｂに示すように、側部開口１５１は、第１側面部１５の前面部１３側のエッジから後面部１４側のエッジに亘って（すなわち、第１側面部１５を横断するように）設けられる。側部開口１５１の下端と第１側面部１５の下端との間の部位である下部マチ１５３の高さ（すなわち、側部開口１５１の下端と第１側面部１５の下端との間の上下方向に関する距離）は、第１側面部１５の上下方向の高さの２５％未満（好ましくは、５％（本実施の形態では約１ｃｍ）以上２５％未満、より好ましくは、１０％以上２０％以下）とされ、側部開口１５１の下端は、上下方向に関して第１側面部１５の下端と吸収性物品包装体１に収容されている吸収性物品９の面ファスナ９２４の下端との間に位置する。また、側部開口１５１の上端は、第１側面部１５の上端よりも下側に位置する。以下、側部開口１５１の上端と第１側面部１５の上端との間の部位１５４を、「上部マチ１５４」という。
【００３４】
前部開口形成部１３２は、図１．Ａに示すように、前部開口形成部１３２の第１側面部１５側とは反対側（すなわち、（−Ｘ）側）のエッジの上側において、当該エッジから第２側面部１６側へと突出するとともに使用者により摘まれることにより前部開口１３１の形成開始を補助する補助タブ１３３を備える。補助タブ１３３には、使用者の注意を促して吸収性物品包装体１の開封開始位置であることを容易に認識させるための目印（例えば、「ここから開ける」等の注意書きや矢印等の図形）が印刷されている。
【００３５】
吸収性物品包装体１が開封される際には、まず、図１．Ｃに示すように、前部開口形成部１３２の補助タブ１３３が使用者により脆弱線１００に沿って周囲の部位から切り離され、摘まれて手前側（図１．Ｃ中の（−Ｙ）側）へと引き出される。その後、補助タブ１３３が、使用者により斜め下方（すなわち、第１側面部１５側かつ下面部１２側）へと引っ張られることにより、前部開口１３１の形成が開始される。
【００３６】
前面部１３では、脆弱線１００に沿って前部開口形成部１３２が周囲の部位から切り離されて前部開口１３１が形成され、続いて、側部開口形成部１５２および後部開口形成部１４２が周囲の部位から順次切り離されることにより、図１．Ｂに示すように、側部開口１５１および後部開口１４１が形成される。周囲の部位から切り離された前部開口形成部１３２、側部開口形成部１５２および後部開口形成部１４２は、図１．Ｂに示すように下方に引き下ろされ、開口１８から露出した吸収性物品９が１つずつ、使用者により（＋Ｘ）方向に取り出される。吸収性物品包装体１では、開口１８の周囲の部位に、使用者に取出方向を示唆するための矢印や注意書き等が印刷されてもよい。
【００３７】
なお、吸収性物品包装体１では、前部開口形成部１３２、側部開口形成部１５２および後部開口形成部１４２の下端側にも脆弱線が設けられ、前部開口１３１、側部開口１５１および後部開口１４１（すなわち、開口１８）の形成後、あるいは、開口１８の形成と並行して、前部開口形成部１３２、側部開口形成部１５２および後部開口形成部１４２が、当該下端側の脆弱線に沿って吸収性物品包装体１から切り取られて除去されてもよい。
【００３８】
以上に説明したように、吸収性物品包装体１では、第１側面部１５に側部開口１５１が設けられ、側部開口１５１の下側の下部マチ１５３の高さが第１側面部１５の高さの２５％未満とされることにより、積層方向において複数の吸収性物品９に加えられている圧縮力が十分に低減される。これにより、吸収性物品９を側部開口１５１から容易に取り出すことができる。また、側部開口１５１が第１側面部１５の前面部１３側のエッジから後面部１４側のエッジに亘る範囲に少なくとも設けられるため、吸収性物品９の取り出しをより容易化することができる。
【００３９】
前面部１３では、側部開口１５１に連通する前部開口１３１が設けられており、使用者が取り出そうとする吸収性物品９を（−Ｙ）側から容易に掴んで側部開口１５１側へと移動することができるため、吸収性物品９をさらに容易に取り出すことができる。また、側部開口１５１に連通する後部開口１４１が設けられることにより、使用者は、前面部１３側および後面部１４側のいずれか取り出しやすい方から吸収性物品９を掴む（あるいは、両側から吸収性物品９を掴む）ことができる。その結果、吸収性物品９を一層容易に取り出すことができる。
【００４０】
第１側面部１５では、側部開口１５１の下側に下部マチ１５３が設けられることにより、吸収性物品９を吸収性物品包装体１に確実に収容することができる。また、側部開口１５１の上側にも上部マチ１５４が設けられる（換言すれば、側部開口１５１の上端が第１側面部１５の上端よりも下側に位置する）ことにより、吸収性物品９をより確実に吸収性物品包装体１に収容することができる。その結果、吸収性物品包装体１の開口１８から吸収性物品９がこぼれ出ることを抑制することができる。
【００４１】
ところで、吸収性物品包装体の下部マチの高さが比較的高い場合、内部に収容される吸収性物品の下端側における積層方向の圧縮力が十分には低減されない。したがって、吸収性物品包装体に収容された状態において、両主面の下端側に面ファスナが設けられている吸収性物品では、面ファスナが隣接する吸収性物品の面ファスナ等に止着されてしまい、吸収性物品の１つずつの取り出しがより困難になってしまう。
【００４２】
しかしながら、本実施の形態に係る吸収性物品包装体１では、下部マチ１５３の高さを第１側面部１５の２５％未満と低くすることにより、吸収性物品９の下端側における積層方向の圧縮力を十分に低減している。すなわち、各吸収性物品９の下端側に設けられた面ファスナ９２４を隣接する吸収性物品９に対して押圧する圧力が低減される。その結果、両側の主面に面ファスナ９２４が設けられることにより通常の吸収性物品よりも取り出しにくい吸収性物品９が収容されている場合であっても、吸収性物品包装体１から吸収性物品９を容易に取り出すことができる。
【００４３】
さらには、側部開口１５１の下端（すなわち、下部マチ１５３の上端）が、第１側面部１５の下端と吸収性物品包装体１に収容されている吸収性物品９の面ファスナ９２４の下端との間に位置することにより、面ファスナ９２４に対応する領域の圧縮力をさらに低減して吸収性物品９の取り出しをより容易化することができる。このように、吸収性物品包装体１は、２つ折りにされた状態で面ファスナ９２４が両側の主面の下端側の領域に設けられる補助吸収具の包装体として特に適している。
【００４４】
前面部１３では、前部開口形成部１３２に前部開口１３１の形成開始を補助する補助タブ１３３が設けられることにより、前部開口１３１を容易に形成することができる。その結果、前部開口１３１と連通する側部開口１５１および後部開口１４１をも容易に形成することができる。また、補助タブ１３３が、前面部１３の一部として吸収性物品積層体９０の前面９０３の一部を覆い、脆弱線１００に沿って周囲の部位から切り離されて摘まれる構成とされることにより、前面部１３において、吸収性物品積層体９０の前面を覆う部分と補助タブとを別部材とすることなく、吸収性物品包装体１の構成を簡素化して吸収性物品包装体１を容易に形成することができる。
【００４５】
吸収性物品包装体１では、吸収性物品９が着用者側を内側にして２つ折りにされた状態で収容されているため、吸収性物品９を包装する際や保管している間、あるいは、吸収性物品９を吸収性物品包装体１から取り出す際に、着用者に接する側が汚損することを防止することができるとともに３つ折りにされた状態で収容されている場合等に比べて取り出した吸収性物品９を片手で容易に展開することができる。また、吸収性物品９が折り目を上側に向けて収容されているため、吸収性物品９の取り出し時に吸収性物品９の上端側を容易に掴むことができ、吸収性物品包装体１からの取り出しをさらに容易化することができる。
【００４６】
以上、本発明の実施の形態について説明してきたが、本発明は上記実施の形態に限定されるものではなく、様々な変更が可能である。
【００４７】
例えば、前部開口形成部１３２、側部開口形成部１５２および後部開口形成部１４２の周囲の部位からの切り離しに利用される脆弱線１００は、必ずしも断続的に形成された切れ目には限定されず、例えば、断続的に配列された丸穴等により構成されるミシン目であってもよい。
【００４８】
脆弱線１００は通常、吸収性物品９が収容される前の折り畳まれた状態の吸収性物品包装体１を刃が形成された金型により挟むことにより、吸収性物品包装体１に切れ目を入れて形成されるため、脆弱線１００の形成の簡素化という観点からは、前部開口形成部１３２および後部開口形成部１４２の形状は等しくされることが好ましい。この場合、後面部１４にも前面部１３の補助タブ１３３と同様の形状を有する補助タブが設けられ、使用者は、開封しやすい方（例えば、使用者の利き手側）の補助タブを利用して（あるいは、両方の補助タブを利用して）吸収性物品包装体１の開封を開始することができる。
【００４９】
開口１８を容易に形成するという観点からは、補助タブ１３３は、必ずしも脆弱線１００に沿って周囲の部位から切り離されて摘まれる構成とされる必要はなく、例えば、前部開口形成部１３２から（−Ｙ）側に突出する補助タブが、前部開口形成部１３２の表面に接合されていてもよい。
【００５０】
吸収性物品包装体１の開口１８の形成は、必ずしも、前部開口形成部１３２の（−Ｘ）側かつ（＋Ｚ）側から開始される必要はなく、例えば、前部開口形成部１３２と側部開口形成部１５２との接続部の上端（すなわち、吸収性物品包装体１の（＋Ｘ）側かつ（−Ｙ）側のエッジの上端近傍）から開口１８の形成が開始されてもよい。
【００５１】
吸収性物品包装体１では、前面部１３、第１側面部１５および後面部１４において、Ｘ方向およびＹ方向に伸びる脆弱線１００が各面部の下端近傍に設けられてもよく、この場合、前部開口形成部１３２の（−Ｘ）側のエッジの下端側に設けられた補助タブから開口１８の形成が開始されてもよい。また、前部開口形成部１３２と側部開口形成部１５２との接続部の下端から開口１８の形成が開始されてもよい。
【００５２】
面ファスナ９２４が設けられた吸収性物品９の取り出しの容易化という観点のみからは、面ファスナ９２４に対応する位置に側部開口１５１が設けられていればよく、例えば、面ファスナ９２４の設けられる位置が吸収性物品９の上下方向における中間近傍である場合には、下部マチ１５３の高さは、第１側面部１５の高さの２５％以上とされてもよい。また、吸収性物品９の下端側に面ファスナ９２４が設けられている場合、側部開口１５１の下端は、必ずしも面ファスナ９２４の下端よりも下に位置する必要はなく、第１側面部１５の下端と吸収性物品９の面ファスナ９２４との間に位置していればよい。側部開口１５１の下端が第１側面部１５の下端と吸収性物品９の面ファスナ９２４との間に位置する場合とは、側部開口１５１の下端が面ファスナ９２４と重なっている場合を含むものとする。
【００５３】
吸収性物品包装体１では、吸収性物品９の積層方向における圧縮力を低減して吸収性物品９を容易に取り出すという観点からは、第１側面部１５から上部マチ１５４が省略されてもよい。また、下部マチ１５３も省略されてよい。
【００５４】
吸収性物品包装体１は、尿取りパッド等の補助吸収具以外にも、いわゆるパンツタイプの使い捨ておむつや着用者の腹側に当接する部位と背側に当接する部位とを腰回りで止着して着用するいわゆるオープンタイプの使い捨ておむつ、おむつカバーと併用されるいわゆるフラットタイプの使い捨ておむつ、生理用品等の包装に利用されてもよい。
【図面の簡単な説明】
【００５５】
【図１．Ａ】吸収性物品包装体を示す斜視図である。
【図１．Ｂ】吸収性物品包装体を示す斜視図である。
【図１．Ｃ】吸収性物品包装体を示す斜視図である。
【図２】吸収性物品積層体を示す斜視図である。
【図３】吸収性物品の構成を示す平面図である。
【符号の説明】
【００５６】
１    吸収性物品包装体
９    吸収性物品
１１    上面部
１２    下面部
１３    前面部
１４    後面部
１５    第１側面部
１６    第２側面部
９０    吸収性物品積層体
１００    脆弱線
１３１    前部開口
１３２    前部開口形成部
１３３    補助タブ
１４１    後部開口
１４２    後部開口形成部
１５１    側部開口
１５２    側部開口形成部
９０１    上面
９０２    下面
９０３    前面
９０４    後面
９２４    面ファスナ
【図１．Ａ】
2007045457.tif 000003
【図１．Ｂ】
2007045457.tif 000004
【図１．Ｃ】
2007045457.tif 000005
【図２】
2007045457.tif 000006
【図３】
2007045457.tif 000007